(57)【要約】      （修正有）【課題】まつげ延長術(または増毛術)の施術に使われる人造まつげに関するものであり、少ない数量の撚りの施術でも沢山の毛と濃いまつげの演出が可能で施術後に発生される不作用や目の疲れ感を減らすことができ、また施術時間及び施術所要費用を大幅に節減させることができるようにする一方、施術後の持続性まで高めるようにしたものであり、また安価な製作費用で多様なデザインのまつげ提供が可能にする。【解決手段】２個の原糸本をカール形成器具を使って下側部は接着されて上側部は両側で離れて"Ｙ"字形態のカールが形成される人造まつげ１０を提供するもので、施術後いずれか一つの原糸本が落ちるか、または抜けても他の一つの原糸本はそのまま残っており、持続性が長い間に維持される人造まつげ１０を提供する。【選択図】図１
2008255557.tif 000002
【特許請求の範囲】
【請求項１】
２個の原糸１、２が下側部は接着されており、上側部は両側に離れており、前記離れる離隔角度(α)は、"Ｙ"字形態のカールが形成されており、前記上側部は離隔角度(α)は１５゜〜４０゜の範囲でなされており、上側部の長さは提供しようとするまつげ全体長さの１/２〜１/３の長さである施術用人造まつげ。
【請求項２】
２個の原糸１、２が下側部は接着されて、上側部は両側に離れて離隔角度(α)を有する"Ｙ"字形態のカールが形成されるようにするために原糸１、２の二本を熱によっても変形がない平たい板の上に緊密に密着されているパーマ紙の上側にのせる工程と;
この状態で眉で使われる原糸１、２の二本がパーマ紙上にのせられている状態で原糸の下側部のみを接着剤を使って接着させる工程と;
接着されない上側部を道具を使って開けてＹ形態が維持するようにする工程と;
Ｙ型で開けられた部分の分岐された部分のみをカール形成器具２０で巻いてＹ型が維持されながらカールが形成されるように巻く工程と;
このような状態で熱処理または薬品処理によって成形した後、パーマ紙とカール形成器具２０を分離させ製造することを特徴とする人造まつげの製造方法。
【請求項３】
前記熱処理のためには、１００℃から２００℃の範囲で熱を加えた後一定時間が経過されることを特徴とする請求項２に記載の人造まつげの製造方法。
【請求項４】
２個の原糸１、２が下側部は接着されており、上側部は両側に離れており、前記離れる離隔角度(α)は、"Ｙ"字形態のカールがなされており、前記原糸１、２の間に１個以上のまた他の原糸３がさらに形成されて下側部は接着されており、上側部は外側の原糸１、２が両側に離れて離隔角度をなしており、その間に加えられた原糸３が離隔された状態で形成されており、前記上側部の離隔角度(α)は１５゜〜４０゜の範囲でなされており、上側部の長さは提供しようとするまつげ全体長さの１/２〜１/３長さであることを特徴とする施術用人造まつげ。 
【発明の詳細な説明】
【技術分野】
【０００１】
本発明は、女性らの化粧のために使われる人造まつげに関するものであり、美容室や化粧をしてくれる業社でまつげの延長術(または、増毛術)の施術時に使われる人造まつげに関する。
【背景技術】
【０００２】
現在、このような形態で施術されているまつげ延長術(または増毛術)は、まつげの毛嚢に本人のまつげより長くてカールが形成されている人造まつげを一本ずつ植えるか、またはまつげの一部分に人造まつげの一端部を付けて長さを延長するようにする方法がある。
このような方法で施術をしてからは施術後にまつげが長くて、濃くて、沢山の毛を有したように見えるようになる。このような形態の施術に使われる人造まつげはまつげラインにいっぺんに付けられる人造まつげより寿命がずっと長くて自然さをそのまま維持させることができる長所がある。しかし、毛嚢に一つ一つの人造まつげが植えられるか、またはまつげ一つ一つに人造まつげが延長されるように付けられるようにしなければならないから、目の疲れ感はもちろん施術時間と施術費用がたくさん必要となる問題点がある。
このような問題点の解決のために一つの原糸本を主毛髪にして主毛髪の末端部に少なくとも２個以上の補助毛髪が分岐された形態でなされるようにして、少ない数量の撚りの施術でも優秀な效果を得ることができるようにしたものが提案されている。しかし、このような形態の製作には、主毛髪と補助毛髪が一つの型枠などを使って一体型が射出成型されて製造されるために、施術の未熟や外部との接触などによって、毛嚢に植えられているかまたはまつげに接着されたものが落ちるか、または抜ける場合に、その部分が確実に現われしまうような形態で抜け落ちてしまい、施術された状態の持続性の維持が難しい短所がある。また、この場合一つの型枠などを通じてすべて同一なデザインのまつげのみを提供するものであるから多様なデザインのまつげの提供が不可能であるという短所がある。多様なデザインの提供のためには提供しようとするデザインのまつげ形態によってそれぞれの型枠などがすべて具備されなければならないから、これによる製作費用の上昇はもちろん生産性の困難性によってコストアップの原因になっている。
【発明の開示】
【発明が解決しようとする課題】
【０００３】
本発明は少ない数量の撚りの施術でも沢山の毛と濃いまつげの演出が可能で施術後に発生される不作用や目の疲れ感を減らすことができ、また施術時間及び施術に必要となる費用を大幅に節減させることができ、一方で、持続性が高められ、また安価な製作費用で多様なデザインの人造まつげの提供を可能にしようとするものである。
【課題を解決するための手段】
【０００４】
本発明は２個の原糸本をカール形成器具を使って下側部は接着されており、上側部は両側で離れて"Ｙ"字形態のカールが形成された人造まつげを提供しており、少ない数量の施術でも沢山の毛と濃いまつげの演出が同時に可能にさせながら、施術後いずれか一つの原糸本が落ちるか、または抜けても他の一つの原糸本はそのまま残り長い持続性が維持され、"Ｙ"字形態のカールが多様な形態への製作が可能になることで、多様なデザインを迅速で安価に提供することを可能にしたものである。
【発明の効果】
【０００５】
本発明の施術用人造まつげは、少ない数量の撚りの施術でも沢山の毛と濃いまつげの演出が可能であり、施術時間及び施術所要費用を節減させることができる一方、施術後の持続性をも高めることができる。また金型を利用した製作方式ではないから多様な離隔角度または多様な数量の原糸でなされる多様なデザインの人造まつげを安価な価格で提供することができる。
【発明を実施するための最良の形態】
【０００６】
以下では本発明の構成を添付図面を参照して説明するが、添付された図面は本発明の一番望ましい一実施例を示したものであるだけで、図示されなくても類似な機能があるかぎり、本発明の権利範囲に属するものであることは勿論である。
図１に示すように本発明の施術用人造まつげは、２個の原糸１、２が下側部は接着されており、上側部は両側で離れて所定の離隔角度(α)を有するものであり、例えば"Ｙ"字形態のカールが形成される。この時離れている上側部は、施術後目蓋の前方で露出する部分であり、接着された下側部は末端が毛嚢に植えられるか、またはまつげの一端に接着される部分として接着層が形成されることができる。上側部の離隔角度(α)は、１５゜〜４０゜になるようにすることが施術後まつげの毛の沢山さと濃さを同時に効果的に得ることができる。上側部の離隔角度が１５゜未満である場合には開け間隔がとても狭小で少ない数量の撚りの施術では沢山の毛のまつげを得にくいし、４０゜を超過する場合には離隔角度が大き過ぎて少ない数量の撚りの施術では濃いまつげでの演出効果を得にくい。
離隔角度を有する上側部の長さは、提供しようとするまつげ全体長さの１/２〜１/３程度の長さで形成させることが一番優秀な効果を得ることができる。
前記原糸１、２は下側部から上側部に行くほど徐々に薄くなっており、上側部の先端は上向き湾曲された形態に調製されることができる。
【０００７】
一方、本発明の施術用人造まつげは図２に示すように、人造まつげの材質で使われる原糸(通常、ポリエステル材質でなされている)１、２の二本をガラス板または熱によっても変形がおこらない平たい板の上に緊密に密着されているパーマ紙の上におく。この状態でパーマ紙上に前記の眉で使われる原糸１、２の二本をパーマ紙上にのせ下側部のみを接着剤を使って接着させる。その後、接着されない上側部を道具を使って適当な間隔で開けてＹの形態が維持するようにする。その後、Ｙ型で開けられた部分の分岐された部分のみをカール形成器具２０で巻いてＹ型が維持されながらカールが形成されるように巻く。このような状態で高温の温度で熱を加えた後一定時間を経過させ、パーマ紙とカール形成器具２０から分離させて形成される。
本発明では１００℃から２００℃の範囲で熱を加える。それ以下である場合には形態の維持がなされない短所があり、それ以上である場合には材質自体の特性による塑性変化によって形態の変化が発生する。また加熱のための時間は材料(原糸)の太さと特性によって変わるものであり、このような時間は選択的に適用され、また温度の差によっても変わる。
本発明での実験結果から、加熱温度の範囲では初期温度で加熱温度に至る場合の時間を除いて２秒以上から５分までの時間の間にも同一な効果を達成できる。
【０００８】
カール形成器具２０は、直接熱線が内蔵している丸竹の切れ形態のカール形成器具２０を使うことができる。また前記カール形成器具２０を利用して巻いて開けられた上側部にカール形成液を塗布させる方式で製作することもできる。カール形成液はカール形成のための第１液と形成されたカール形成維持のための第２液を段階的に使う。また原糸１、２は製作しようとする人造まつげの長さで切断して提供されたものをカールが形成されるように加工させて形成するか、または既所定の長さで提供されるように、カールが形成されるように加工させた後切断の工程を経って形成させることができる。
この時使われる原糸１、２は両端に行くほど細いか、または一側端に行くほど細く調製されたものを使用することができるし、両端が同一な厚さでなされる場合には切削加工により両端または一側端が細くすることができる。原糸１、２の両端が細く形成された場合には、中心部分を接着させて両側部分をそれぞれ両側で開けてカールが形成されるように加工させた後に中心部分を切断させると、一回の工程で２個の人造まつげを製作することができる。
【０００９】
製作された人造まつげは図３に示すように表面に接着層が塗布されたバンド３０の表面に一列で接着させて多数の人造まつげが集められた状態で提供することによって、一つずつはなして施術することができるようにする。このように提供される人造まつげ１０は、"Ｙ"字形態でなされて図４に示すようにまつげラインの毛嚢に植えるか、または図５に示すように既存のまつげ末端に接着させる方式で施術する。施術された人造まつげは、模様や既存のまつげにぽつりぽつりと施術しても両側に離れている人造まつげの上側部がお互いに重なって網の形態を有するようになって、多くて濃いまつげの演出が可能になる。かくして、少ない数量の人造まつげ施術でも従来の人造まつげ施術と同一な多さと濃さを演出することができるため、これによる施術時間及び施術費用を大幅に節減させることができる。また、本発明の人造まつげは２本の原糸が結合されてなされるものであるために施術の未熟さなどによっていずれか一つの原糸本が落ちるか、または抜けても他の一つの原糸本はそのまま残っている可能性が高いから施術した状態での時間がより長く維持されることができる。
【００１０】
図６は本発明の他の実施例を示すものであり、前記原糸１、２の間に１本以上のまた他の原糸３をさらに形成させ、下側部は接着されて上側部は外側の原糸１、２が両側に離れて所定の離隔角度をなして、その間に加えられた原糸３が離隔された状態で形成されるようにして、より多くて濃いまつげの演出が可能である。これのために設けられる原糸１、２、３は、下側部のみを接着剤を使って接着させた後カール形成器具２に巻いて接着されない上側部の外側に位置した原糸１、３を所定の離隔角度が維持されるように開けてその内側に位置した原糸２は開けられた原糸１、３の間に配置させ、その状態が維持されるように加工させれば良い。
【図面の簡単な説明】
【００１１】
【図１】本発明の一実施例を示す斜視図である。
【図２】本発明の概略的な製造工程図である。
【図３】本発明が提供される時の状態図である。
【図４】本発明が毛嚢に植えられて施術された状態図である。
【図５】本発明がまつげに接着されて施術された状態図である。
【図６】本発明のまた他の実施例を示す斜視図である。
【図７】図６の概略的な製造工程図である。
【符号の説明】
【００１２】
１、２、３  原糸
１０  人造まつげ
２０  カール形成器具
３０  バンド
【図１】
2008255557.tif 000003
【図２】
2008255557.tif 000004
【図３】
2008255557.tif 000005
【図４】
2008255557.tif 000006
【図５】
2008255557.tif 000007
【図６】
2008255557.tif 000008
【図７】
2008255557.tif 000009